(57)【要約】【課題】メンテナンスが容易に行えると共に不正行為も未然に防止できるようにした弾球遊技機を提供する。【解決手段】遊技機本体Ｐ１の前面に開閉部材６が軸着されると共に該遊技機本体Ｐ１の前面一側に打球力調整ハンドル１３が取着され、打球力調整ハンドル１３の基端部にロック板３７を固着し、遊技機本体Ｐ１の前面に支持板２７を固着し、支持板２７の前面に筒状のハンドル台座部４０を取着し、支持板２７の裏面に複数の保持板５０ａ，５０ｂを突設し、ロック板３７に第一支持孔３８を開設すると共に各保持板５０ａ，５０ｂには第一支持孔３８と同一軸線上に位置する第二支持孔５１ａ，５１ｂを開設し、各第二支持孔５１ａ，５１ｂ及び第一支持孔３８にロック棒５２を抜脱自在に挿通することにより打球力調整ハンドル１３がハンドル台座部４０に着脱自在に取着されるようにした。【選択図】図６
2008018176.tif 000002
【特許請求の範囲】
【請求項１】
遊技機本体の前面に球受皿を設けた開閉部材が軸着されると共に該遊技機本体の前面一側に打球発射部から発射される遊技球の打球力を調整する打球力調整ハンドルが取着される弾球遊技機であって、
前記打球力調整ハンドルの基端部に該基端部に沿ってロック板を固着し、前記遊技機本体の前面に前記開閉部材により覆われる支持板を固着し、前記支持板の前面に前記打球力調整ハンドルを挿通して取り付ける筒状のハンドル台座部を取着し、前記支持板の裏面に該支持板から後方へ突出する前記ロック板と対応位置させて複数の保持板を突設し、前記ロック板に第一支持孔を開設すると共に前記各保持板には前記第一支持孔と同一軸線上に位置する第二支持孔をそれぞれ開設し、前記各第二支持孔及び前記第一支持孔にロック棒を抜脱自在に挿通することにより前記打球力調整ハンドルが前記ハンドル台座部に着脱自在に取着されるようにしたことを特徴とする弾球遊技機。
【請求項２】
前記打球力調整ハンドルの外周面にその基端側へ進むに従い漸次外径が小さくなるテーパ凸面部を成形し、前記ハンドル台座部の内周面にはその前半部に後方へ進むに従い漸次内径が小さくなり前記テーパ凸面部が摺接し得るテーパ凹面部を成形した請求項１記載の弾球遊技機。
【請求項３】
前記ロック棒における先端部の外周面に先端へ進むに従い漸次外径が小さくなるテーパ凸面部を成形し、前記第一支持孔の内周面に奥端へ進むに従い漸次内径が小さくなり前記テーパ凸面部が摺接し得るテーパ凹面部を成形した請求項１記載の弾球遊技機。
【発明の詳細な説明】
【技術分野】
【０００１】
本発明は、遊技機本体の前面に打球力調整ハンドルを着脱自在に取着するようにした弾球遊技機に関するものである。
【背景技術】
【０００２】
従来、弾球遊技機の一種であるパチンコ遊技機には、その遊技機本体の前面一側に打球発射部から発射される遊技球の打球力を調整する打球力調整ハンドルが装着される。更に詳しく説明すると、例えば内枠に挿通孔が開設され、その前面に装着される下部の球受皿の一側に前記挿通孔と連通する軸受け部を有する筒部が設けられる。また、打球力調整ハンドルの回動軸を前記軸受け部に挿通すると共に内枠の挿通孔に挿通し、この状態で打球力調整ハンドルの筒部に設けられた固定ねじを螺締することにより、打球力調整ハンドルが前記下部の球受皿の筒部に固定できるようになっている（例えば、特許文献１参照。）。
【０００３】
【特許文献１】特開２００２−３５５３７９号公報（第２−４頁段落００１４、図４−５）
【発明の開示】
【発明が解決しようとする課題】
【０００４】
しかしながら、前記特許文献１のパチンコ遊技機にあっては、例えば打球力調整ハンドルが破損して、交換を余儀なくされた場合、前記固定ねじをドライバーでいちいち外し、しかも、新しい打球力調整ハンドルを取り付けるに再びドライバーで固定ねじを螺締めしなければならないことから、その交換作業が面倒であるなどメンテナンスが容易に行えないという課題がある。また、前側から固定ねじを着脱できる構成であることから、該固定ねじを故意に外して不正行為が行われるという危険性もある。
【０００５】
そこで、本発明は上記課題を解決すべくなされたもので、メンテナンスが容易に行えると共に不正行為も未然に防止できるようにした弾球遊技機を提供することを目的とするものである。
【課題を解決するための手段】
【０００６】
かかる目的を達成するため本発明の弾球遊技機は、遊技機本体の前面に球受皿を設けた開閉部材が軸着されると共に該遊技機本体の前面一側に打球発射部から発射される遊技球の打球力を調整する打球力調整ハンドルが取着される弾球遊技機であって、前記打球力調整ハンドルの基端部に該基端部に沿ってロック板を固着し、前記遊技機本体の前面に前記開閉部材により覆われる支持板を固着し、前記支持板の前面に前記打球力調整ハンドルを挿通して取り付ける筒状のハンドル台座部を取着し、前記支持板の裏面に該支持板から後方へ突出する前記ロック板と対応位置させて複数の保持板を突設し、前記ロック板に第一支持孔を開設すると共に前記各保持板には前記第一支持孔と同一軸線上に位置する第二支持孔をそれぞれ開設し、前記各第二支持孔及び前記第一支持孔にロック棒を抜脱自在に挿通することにより前記打球力調整ハンドルが前記ハンドル台座部に着脱自在に取着されるようにしたことを特徴とする。
【０００７】
この際、前記打球力調整ハンドルの外周面にその基端側へ進むに従い漸次外径が小さくなるテーパ凸面部を成形し、前記ハンドル台座部の内周面にはその前半部に後方へ進むに従い漸次内径が小さくなり前記テーパ凸面部が摺接し得るテーパ凹面部を成形することが好ましい。
【０００８】
また、前記ロック棒における先端部の外周面に先端へ進むに従い漸次外径が小さくなるテーパ凸面部を成形し、前記第一支持孔の内周面に奥端へ進むに従い漸次内径が小さくなり前記テーパ凸面部が摺接し得るテーパ凹面部を成形することが好ましい。
【発明の効果】
【０００９】
本発明に係る弾球遊技機は、打球力調整ハンドルを支持板の前面に装着したハンドル台座部に挿通し、支持板から後方へ突出する複数の保持板の第二支持孔及び打球力調整ハンドルの基端部に固着したロック板の第一支持孔にロック棒を抜脱自在に挿通することにより、打球力調整ハンドルが前記ハンドル台座部に着脱自在に取着される。よって、例えば打球力調整ハンドルの交換はロック棒を抜脱するのみで済むなどメンテナンスが容易に行えるという効果が有る。また、ロック棒は開閉部材により覆われるので、前側から打球力調整ハンドルを取り外すことはできず、これにより打球力調整ハンドルを外して行われる不正行為が防止される。
【００１０】
この際、前記打球力調整ハンドルの外周面に成形されたテーパ凸面部と前記ハンドル台座部の内周面に成形されたテーパ凹面部とを互いに摺接させるようにすれば、打球力調整ハンドルがハンドル台座部に対してガタつくことなくしっかりと固定される。
【００１１】
また、前記ロック棒における先端部の外周面に成形されたテーパ凸面部と第一支持孔の内周面に成形されたテーパ凹面部とを摺接させるようにすれば、打球力調整ハンドルのガタつきが更になくなり安定性が向上する。
【発明を実施するための最良の形態】
【００１２】
以下、本発明に係る弾球遊技機の実施の形態を図面に基づき説明する。なお、本発明は、例えば、パチンコ遊技機、アレンジボール機、雀球遊技機等の弾球遊技機に適用できるが、その一例としてパチンコ遊技機について説明する。図１は本発明に係るパチンコ遊技機の正面図、図２は同透明板保持枠及び前板を開いた状態の斜視図である。
【００１３】
パチンコ遊技機Ｐは、外側に縦長長方形状の外枠１を有し、その前面に内枠２がその一側を支点として開閉自在に装着され、該内枠２に遊技盤３が設置される。本発明にあっては、前記外枠１及び内枠２を合わせて遊技機本体Ｐ１という。該内枠２の前面の一側に前記遊技盤３の前面を覆う透明板保持枠４が開閉自在に軸着される。また、その下方に位置して後記する打球発射部２４ａへ供給される打球としての遊技球を貯留する上部の球受皿５が装着された開閉部材としての前板６が同じく内枠２の前面の一側に開閉自在に軸着される。
【００１４】
前記前板６の前面であって前記上部の球受皿５の下方に、該上部の球受皿５から溢れる遊技球を貯留する下部の球受皿７が装着される。これら上・下の球受皿５，７は前覆い枠８により上下で連続して一体に成形されており、その前面に下部の球受皿７に手を差し込める開口９が開設される。該開口９の下方の前覆い枠８の前面に、下部の球受皿７に溜まった遊技球を正面から見て左右方向へ摺動して球抜きするための球抜きレバー１０が設けられる。前板６における下部の球受皿７の一側には灰皿１１が装着され、他側は凹弧状に切り欠かれると共にその切り欠かれた凹弧状部６ａに内枠２の下隅角部に設けられ前方ヘ突出する突出隅部１２が合致する。該突出隅部１２の前面には、遊技球である打球の発射力を調整するための打球力調整ハンドル１３が装着されている。
【００１５】
前記遊技盤３の前面に、渦巻状に敷設された内側・外側ガイドレール１４ａ，１４ｂに囲われて遊技部３ａが成形される。そして、該遊技部３ａに、その中央に位置して数字、図柄等の情報を変動表示する可変表示装置１５、遊技球の入賞によって前記情報を変動させる始動入賞口１６が装着される。また、その下方に、前記可変表示装置１５の情報が特定の表示（例えば、「７７７」）に揃ったとき、一定の条件の下で一度に多くの賞球としての遊技球が得られる入賞装置１７が装着されている。
【００１６】
前記前板６に、その軸着側に内枠２の裏側に装着される球払出装置（図示せず。）から払い出された遊技球を上部の球受皿５に払い出すための球払出口１８が開設される。また、前板６の裏面であってその開放側寄りに、前記上部の球受皿５に貯留される遊技球を導き入れ後記する発射レール２４の打球発射部２４ａに一個ずつ供給するための打球供給装置１９が取着される。
【００１７】
該打球供給装置１９には、その裏面に打球発射部２４ａと対向位置して供給口２０が設けられ、その一側に上部の球受皿５に貯留される遊技球を球抜きする場合の球抜き口２１が設けられている。打球供給装置１９の下方の前板６に、前記球抜き口２１から排出される球抜き時の遊技球を下部の球受皿７に排出するための球排出口２２が開設される。前板６の開放側であってその裏面に、前記凹弧状部６ａの上方と側方に位置してそれぞれ前板６を遊技機本体Ｐ１の内枠２前面に施錠するための係合片２３が設けられる。
【００１８】
一方、図２、図３に示すように遊技機本体Ｐ１を構成する内枠２の前面に発射レール２４が装着され、該発射レール２４の一側に打球発射装置２５が装着される。該打球発射装置２５には、打球供給装置１９から発射レール２４の打球発射部２４ａに供給された遊技球を打球する打球杆２６が回動自在に軸着される。この打球杆２６は駆動源であるステッピングモータ（図示せず。）により駆動し、前記打球力調整ハンドル１３の回動動作に合わせてその打球の強さの強弱が調節できるようになっている。
【００１９】
図３に示すように、前記内枠２の前面であって発射レール２４側の下隅角部に、正面を向くようにして金属製の支持板２７が固着される。該支持板２７は、上方へ突出する上板部２７ａと側方（内側）へ突出する側板部２７ｂとから正面Ｌ字状に成形され、その交差する角部に前記打球力調整ハンドル１３が取着される。また、上・側板部２７ａ，２７ｂに前記各係合片２３，２３に対応位置して略縦長長方形状の係合孔２８，２８が開設され、各係合片２３がそれぞれ各係合孔２８に係合することにより、前板６が内枠２の前面に施錠されることになる。
【００２０】
また、図４に示すように支持板２７の前面であって各係合孔２８の一側に、前記前板６を閉じて施錠したとき該前板６の裏面に当接して該前板６を前側へ付勢する弾発手段としての板バネ２９が設けられる。各板バネ２９は、上端部をビス止めして固着され、下端部が前側の斜め下方に延出されている。そして、前記前板６が開錠されたとき前記板バネ２９により該前板６を前側へ押し出すようにし、該前板６の開閉動作を容易にしている。
【００２１】
前記打球力調整ハンドル１３は、図４に示すように基端側の後握持部３０と前握持部３１とこれらの間に介在され自在に回動する操作レバー３２とからなる。操作レバー３２の中心には、後握持部３０内を貫通してその後方へ突出する回動軸３３が一体に設けられる。図示は省略するが、この回動軸３３の後端に前記打球杆２６の回動力の強さを調節するワイヤーの一端が固着される。
【００２２】
前記基端部である後握持部３０は、操作レバー３２に対向する椀状の太径部３０ａとその後側に連接される中間径部３０ｂとその後側に連接される細径部３０ｃとからなり、中間径部３０ｂと細径部３０ｃとの間には段差３４が設けられる。また、後握持部３０の中心軸線に沿って前記回動軸３３を挿通する軸孔３５が開設される。中間径部３０ｂの外周面全体は、その基端側へ進むに従い漸次外径が小さくなるテーパ凸面部３６が成形されている。
【００２３】
前記細径部３０ｃの外周一側に、該細径部３０ｃから所定の間隔離しかつ細径部３０ｃに沿って金属製のロック板３７が固着される。このロック板３７の後端縁は細径部３０ｃの後端よりも少し後方へ突出しており、その後端部に後記するロック棒５２を挿通する円形の第一支持孔３８が開設されている。この第一支持孔３８はロック棒５２の外径より僅かに小さい内径を有し、しかも、第一支持孔３８の内周面全体に奥端へ進むに従い内径が漸次小さくなるテーパ凹面部３９が成形される。
【００２４】
一方、前記支持板２７における上板部２７ａと側板部２７ｂとの交差部前面に、前記打球力調整ハンドル１３の基端部すなわち細径部３０ｃとロック板３７とを挿通するハンドル台座部４０がネジ４１止めして取着される。該ハンドル台座部４０は、図４に示すように前側の丸型細筒部４０ａと後側の角型太筒部４０ｂとから全体に筒状をなし、図８に示すように角型太筒部４０ｂの後端部に閉塞板４２が張設され、該閉塞板４２の中心に前記後握持部３０の細径部３０ｃを挿通する通孔４３が設けられる。また、その一側の閉塞板４２に、前記ロック板３７を挿通する透孔４４が開設される。そして、前記丸型細筒部４０ａの内周面には、その前半部に前記打球力調整ハンドル１３のテーパ凸面部３６とほぼ同じ傾きであって後方へ進むに従い内径が漸次小さくなるテーパ凹面部４５が成形され、これらテーパ凸面部３６とテーパ凹面部４５とが摺接することになる。
【００２５】
前記ハンドル台座部４０は、支持板２７の前面に配置固定したカバー部材４６により覆われる。該カバー部材４６の前面に貫通孔４７が開設され、該貫通孔４７を介して前記丸型細筒部４０ａが前方へ突出するようになっている。
【００２６】
前記支持板２７には、図５、図６に示すように上板部２７ａと側板部２７ｂとの交差部に前記打球力調整ハンドル１３の細径部３０ｃとロック板３７とを挿通する取付孔４８が開設される。また、該取付孔４８の上方に位置して支持板２７に、略方形状の比較的大きい操作口４９が開設されている。前記取付孔４８の上縁と操作口４９の下縁には支持板２７に対してほぼ直角に後方へ突出する一対の保持板５０ａ，５０ｂが設けられる。これら保持板５０ａ，５０ｂは、前記取付孔４８に打球力調整ハンドル１３の細径部３０ｃとロック板３７を挿通したときの該ロック板３７とほぼ平行をなし、両保持板５０ａ，５０ｂにロック板３７の第一支持孔３８と同一軸線上に位置して円形の第二支持孔５１ａ，５１ｂが開設される。
【００２７】
これら第二支持孔５１ａ，５１ｂに、上方からロック棒５２が抜脱自在に挿通される。該ロック棒５２は金属製の丸棒からなり前記第二支持孔５１ａ，５１ｂの内径とほぼ同じ外径を有し、上端部に直角に屈曲させた屈曲杆部５２ａが設けられる。ロック棒５２における先端の外周面に、前記第一支持孔３９の内周面に成形されたテーパ凹面部３９とほぼ同じ傾斜角度であって先端へ進むに従い外径が漸次小さくなり、前記テーパ凹面部３９に摺接するテーパ凸面部５３が成形される。
【００２８】
また、ロック棒５２にその先端側に弾発手段としての圧縮スプリング５４が挿通され、該圧縮スプリング５４はロック棒５３の先端部に取着されたＥリング５５の上面に乗っている。そして、ハンドル台座部４０に打球力調整ハンドル１３を前側から挿通した状態で、両第二支持孔５１ａ，５１ｂにロック棒５２を上から挿通した際、前記圧縮スプリング５４は両保持板５０ａ，５０ｂ間、正確には上側の保持板５０ａとＥリング５５間に介装され、ロック棒５２を常に下方へ付勢するようにしている。これにより、ロック棒５２の先端部が下側の第二支持孔５１ｂを通過して第一支持孔３８内に入り、ロック棒５２側のテーパ凸面部５３と第一支持孔３８側のテーパ凹面部３９とが摺接するようになっている。この際、Ｅリング５５は下側の保持板５０ｂよりも少し上方に位置している。
【００２９】
前記操作口４９の上縁に、前記両保持板５０ａ，５０ｂと位置をずらせて支持板２７から後方へ直角に折れ曲がる規制板５６が設けられる。該規制板５６の後端部には、下方へ折れ曲る停止片５７が設けられる。前記第二支持孔５１ａ，５１ｂにロック棒５２を上から挿通した状態で、該ロック棒５２をその中心軸線に対して直交する面内で回動させることにより、ロック棒５２上端の屈曲杆部５２ａが規制板５６の下面に介入し、更に、停止片５７に当接して止まる。この状態では、上端が規制板５６に支えてロック棒５２を上方へ引き抜くことができなくなる。該ロック棒５２の操作は、前板６を開いた状態で前側から前記操作口４９内に指を差し込むことにより簡単に行えるようになっている。
【００３０】
本発明に係るパチンコ遊技機は上記構成からなり、ロック棒５２は、圧縮スプリング５４を両保持板５０ａ，５０ｂ間に介入した状態で両保持板５０ａ，５０ｂの第二支持孔５１ａ，５１ｂに挿通し、更に回動させてその上端部の屈曲杆部５２ａを規制板５６の下方に配置させておく。
【００３１】
次に、打球力調整ハンドル１３を取着するときは、前板６を開けておき貫通孔４７からハンドル台座部４０の丸型細筒部４０ａを前方へ突出させ、支持板２７の前面にカバー部材４６をネジ５８止めする。そして、前側から前記操作口４９に指を差し入れ、ロック棒５２を逆方向へ回動させて屈曲杆部５２ａと規制板５６との係合を解き、圧縮スプリング５４の付勢に抗してロック棒５２を上方へ引上げ、その先端を下側の保持板５０ｂよりも上方位置に保持する。
【００３２】
この状態で、丸型細筒部４０ａ内に打球力調整ハンドル１３をその基端部側から挿入する。これにより、細径部３０ｃがハンドル台座部４０内の通孔４３に挿通されて支持板２７の裏側へ突出し、同様にロック板３７も透孔４４に挿通されて支持板２７の裏側に突出する。この場合、ロック板３７の第一支持孔３８が下側の保持板５０ｂの第二支持孔５１ｂと合致する。
【００３３】
そこで、前記ロック棒５２を指先から離すと、圧縮スプリング５４の付勢により下方へ引かれ、ロック棒５２の先端のテーパ凸面部５３が第一支持孔３８のテーパ凹面部３９に摺接する。同時に、前記打球力調整ハンドル１３の外周面のテーパ凸面部３６がハンドル台座部４０の内周面のテーパ凹面部４５に摺接するので、打球力調整ハンドル１３がハンドル台座部４０に対してガタつくことなくしっかりと固定される。
【００３４】
前記ロック棒５２は、図７に示すようにもう一度回動させてその上端の屈曲杆部５２ａを規制板５６の下面に配置しておく。ロック棒５２は上方への動きが規制されるので、打球力調整ハンドル１３を前側から無用に引き上げても抜けることはない。最後に、前板６を閉じる。このようにして、前記打球力調整ハンドル１３がハンドル台座部４０に着脱自在に取着されることになる。
【００３５】
本発明は上記の構成からなるので、例えば打球力調整ハンドル１３を交換する場合、図８に示すように前板６を開け、ロック棒５２をロック板３７の第一支持孔３８から抜脱するのみで済み、ネジの脱着が不要であってしかも前側から作業できることから、打球力調整ハンドル１３のメンテナンスが容易に行える。また、ロック棒５２は前板６により覆われるので、パチンコ遊技機Ｐの前側から打球力調整ハンドル１３を取り外すことはできず、これにより打球力調整ハンドル１３を外して行われる不正行為が防止される。
【００３６】
本発明では、開閉部材として上・下部の球受皿５，７が装着された前板６について説明したが、例えば透明板保持枠４も一体になった開閉部材であっても本発明が適用できることは勿論である。
【図面の簡単な説明】
【００３７】
【図１】本発明に係るパチンコ遊技機の正面図。
【図２】同透明板保持枠及び前板を開いた状態の斜視図。
【図３】遊技機本体の開放側の一部を表側から示す斜視図。
【図４】打球力調整ハンドルと支持板を分解して表側から示す斜視図。
【図５】支持板の裏側から示す斜視図。
【図６】同分解斜視図。
【図７】遊技機本体の開放側の一部の正面図。
【図８】同側面断面図。
【符号の説明】
【００３８】
５                      上部の球受皿
６                      開閉部材（前板）
７                      下部の球受皿
１３                    打球力調整ハンドル
２４ａ                  打球発射部
２７                    支持板
３６                    テーパ凸面部
３７                    ロック板
３８                    第一支持孔
３９                    テーパ凹面部
４０                    ハンドル台座部
４５                    テーパ凹面部
５０ａ                  保持板
５０ｂ                  保持板
５１ａ                  第二支持孔
５１ｂ                  第二支持孔
５２                    ロック棒
５３                    テーパ凸面部
Ｐ                      弾球遊技機（パチンコ遊技機）
Ｐ１                    遊技機本体
【図１】
2008018176.tif 000003
【図２】
2008018176.tif 000004
【図３】
2008018176.tif 000005
【図４】
2008018176.tif 000006
【図５】
2008018176.tif 000007
【図６】
2008018176.tif 000008
【図７】
2008018176.tif 000009
【図８】
2008018176.tif 000010